(57)【特許請求の範囲】
【請求項１】
両替取引手数料を現金で徴収する現金両替機であって、
入出金される硬貨を金種毎に夫々収容可能な複数の硬貨ユニットと、複数の硬貨を金種毎に区別されることなく収容できる運用ユニットと、を前記現金両替機の硬貨収容領域に、備え、
前記現金両替機は、さらに、
硬貨の金種を判別する識別ユニットと、
前記複数の硬貨ユニット間で硬貨を搬送する搬送機構と、
前記複数の硬貨ユニットを前記硬貨収容領域にあるようにしながら、前記運用ユニットを前記硬貨収容領域からスライドさせて前記現金両替機から引き出せるようにする、トレーと、
両替取引を管理するための管理情報に基づいて、硬貨の管理を実行する制御モジュールと、
を備え、
前記制御モジュールは、前記管理情報と前記識別ユニットの識別情報に基づいて、両替取引手数料に相当する複数金種の硬貨を、前記複数の硬貨ユニットから前記運用ユニットに前記搬送機構によって搬送して収容させ、その後前記トレーが前記運用ユニットをスライドできる状態にする
現金両替機。
【請求項２】
前記識別ユニットは、前記搬送機構を搬送される硬貨の金種と枚数とを識別する
請求項１記載の現金両替機。
【請求項３】
前記制御モジュールは、前記両替取引手数料として入金された硬貨を、当該硬貨の金種に応じて、前記複数の硬貨ユニットのうち所定の硬貨ユニットに収容する
請求項１記載の現金両替機。
【発明の詳細な説明】
【技術分野】
【０００１】
この発明は、両替される貨幣を受け入れ、指定された金種の貨幣へ両替する現金両替機に関する。
【背景技術】
【０００２】
金融機関に設置されている現金両替機では、両替手数料を徴収する運用形態が一般的になっている。手数料の徴収には、いくつかの方式があり、金融機関毎に所定の方式が採用されている。そのうち、両替取引の都度、利用者が手数料金額を硬貨で投入する硬貨投入方式が主流になっている。
【０００３】
他の方式として、金融機関の窓口で発行される両替専用カードを両替取引に使用する方式がある。この方式として、金融機関の窓口で、利用者が専用カードを取得する際に、所定期間の使用料を払い込む、云わば、定期券タイプ方式と、専用カードに現金をチャージし両替取引の都度チャージ金額から手数料を徴収するプリペイドタイプ方式がある。
【０００４】
手数料徴収方式が硬貨投入タイプの現金両替機においては、本体装置の利用者側の前面扉に硬貨入金専用の薄型ユニットが設けられている。現金両替機は、手数料を徴収する際、利用者に、硬貨の投入を求め、投入された硬貨を硬貨入金箱に収容するようにしている。
【０００５】
現金両替機として、例えば、特開２００７―１９３７１６号公報に記載された現金取扱装置がある。このものは、両替といった現金取扱に際しての手数料の徴収の柔軟な運用を可能にするため、両替機能を実行する両替装置本体に手数料徴収装置を装着して構成され、手数料徴収装置は、その内部に、手数料表示設定入力部を備え、この手数料表示設定入力部に、両替手数料体系を定める両替内容区分や、手数料自体を表示させ、関係者による設定操作を経て、両替内容区分や両替手数料を外部からの設定行為に優先して変更可能とする。
【先行技術文献】
【特許文献】
【０００６】
【特許文献１】特開２００７―１９３７１６号公報
【発明の概要】
【発明が解決しようとする課題】
【０００７】
しかしながら、従来の現金両替機は、現金両替機に出金用として準備されている紙幣および硬貨（出金現金）、利用者が両替取引のために入金した紙幣（入金現金）と、両替手数料として受付けた硬貨（手数料現金）とを同じように管理していなかったため、手数料現金の管理が好適に行われていなかった。そこで、本発明は、手数料現金の管理を好適に行うことができる現金両替機を提供することを目的とする。
【課題を解決するための手段】
【０００８】
前記目的を達成するために、本発明は、両替取引手数料を現金で徴収する現金両替機であって、硬貨を夫々収容可能な複数の硬貨ユニットと、両替取引を管理するための管理情報と、硬貨の金種を判別する識別ユニットと、前記複数の硬貨ユニット間で硬貨を搬送する搬送機構と、硬貨の管理を実行する制御モジュールと、を備え、前記制御モジュールは、前記管理情報と前記識別ユニットの識別情報に基づいて、両替取引手数料の少なくとも一部に相当する金種の硬貨を、前記複数の硬貨ユニットのうちの少なくとも一つの硬貨ユニットに他の硬貨ユニットから前記搬送機構によって搬送して収容することを特徴とする。
【発明の効果】
【０００９】
本発明によれば、手数料現金の管理を好適に行うことができる現金両替機を提供することができる。
【図面の簡単な説明】
【００１０】
【図１】現金両替機の外観斜視図である。
【図２】現金両替機の構成要素のブロック図である。
【図３】紙幣等の貨幣を収容するための構成を説明するための、現金両替機の側面から見た透視図である。
【図４】現金両替機の硬貨収容領域の詳細を示すための、現金両替機の左側面図である。
【図５】現金両替機の硬貨収容領域の金種構成例を示すための、現金両替機の左側面図である。
【図６】両替手数料が現金両替機に入金される際の硬貨を処理する動作を示すための現金両替機の左側面図である。
【図７】両替取引集計情報の管理テーブルの一例である。
【図８】現金両替機内部に保有される現金貨幣量の管理テーブルの一例である。
【図９】両替取引の処理を説明するためのフローチャートである。
【図１０】両替取引集計情報管理テーブル（図７）の更新処理を説明するためのフローチャートである。
【図１１】保有現金量管理テーブル（図８）の更新処理を説明するためのフローチャートである。
【図１２】両替取引の運用処理のためのメニュー画面である。
【図１３】両替取引の集計処理の印字例（明細票）の一例である。
【図１４】両替機の保有現金量の印字例（明細票）の一例である。
【図１５】現金両替機の現金貨幣の自動精査を説明するためのフローチャートである。
【図１６】硬貨収納領域に対する自動精査の動作を説明するための、現金両替機の左側面図である。
【図１７】自動精査処理の結果印字例（明細票）の一例である。
【図１８】手数料現金の回収を説明するためのフローチャートである。
【図１９】手数料現金を硬貨運用ユニットに回収する際の動作を説明するための、現金両替機の左側面図である。
【図２０】硬貨収容領域から硬貨運用ユニットをスライドさせた状態を説明するための、現金両替機の左側面図である。
【図２１】手数料現金回収処理の印字例（明細票）の一例である。
【図２２】手数料現金を硬貨入出金口へ送出する際の硬貨ユニットの動作を説明するための、現金両替機の左側面図である。
【発明を実施するための形態】
【００１１】
次に、本発明に係る現金両替機の実施形態を説明する。図１に、現金両替機の外観斜視図を示す。図２に、現金両替機の構成要素のブロック図を示す。現金両替機１は、金融機関等に設置され、両替される貨幣を受け入れ、指定された金種の貨幣を払い出す両替処理を行う自動取引装置であり、操作ユニット１２、紙幣入出金機構ユニット１３、硬貨入出金機構ユニット１４、包装硬貨出金機構ユニット１５、カード機構ユニット１６、明細票機構ユニット１７、そして、これら各ユニットを制御する制御モジュール１１を含んで構成されている。制御モジュール１１は、ＣＰＵ、メモリ等のハードウェア資源と、プログラム、データ等のソフトウェア資源とから構成され、両替取引を処理、管理等する。
【００１２】
操作ユニット１２は、利用者操作ユニット１２ａと金融機関関係者操作ユニット１２ｂとを備えている。利用者操作ユニット１２ａは、画面表示、キー入力検知機能を備えており、現金両替機の利用者が取引を行う際、現金両替機の利用者側である前面で、取引操作の誘導画面を表示したり、両替金種の指定等、利用者によって操作されたキー入力を受付ける。
【００１３】
関係者操作ユニット１２ｂも画面表示、キー入力検知機能を備えており、現金貨幣の補充・回収の処理や取引集計印字などの運用処理を行う際、処理操作の誘導画面を表示したり、関係者によって操作された入力を受付ける。
【００１４】
利用者操作ユニット１２ａと関係者操作ユニット１２ｂはタッチパネル等により構成された入力兼表示ユニットとして提供されることが望ましい。両ユニットは、種々の情報を表示画面に表示し、表示画面に含まれる色々な項目への入力操作を検知する。
【００１５】
カード機構ユニット１６は、利用者によるカードの挿入、又は、利用者に対するカードの返却動作、カードの磁気ストライプ、及び/又は、カードのＩＣチップに対する、リード又はライト動作を行う。
【００１６】
明細票機構ユニット１７は印字ユニットを備え、取引内容を明細票に印字し、明細票を現金両替機から利用者等に送出する。紙幣入出金機構ユニット１３は、両替される紙幣の入金と両替された紙幣の出金を行う。
【００１７】
硬貨入出金機構ユニット１４は、両替手数料としての硬貨の入金と両替された硬貨の出金を行う。包装硬貨出金機構ユニット１５は、両替硬貨としての包装硬貨の出金を行う。
【００１８】
次に、現金両替機において、紙幣等の貨幣を収容するための構成について説明する。同構成を、図３に従い、現金両替機の側面から見た透視図を用いて説明する。図３（１）は現金両替機の右側面から透視した現金両替機内部の模式図であり、紙幣を収容する紙幣収容領域３１が現金両替機の下半分の領域に配置されている。紙幣収容領域は上部ユニット３１Ａと下部ユニット３１Ｂとを備えている。上部ユニット３１Ａは紙幣入出金口、紙幣一時保留部、紙幣識別部、各部位を巡る搬送路を備え、主な機能は入金処理において利用者が投入した紙幣を識別し、取引が成立した場合は紙幣を下部ユニットの入金用カセットへ収容することと、出金処理においては下部ユニットの出金用カセットから紙幣を繰出し、紙幣を識別し、紙幣入出金口へ搬送することにある。下部ユニット３１Ｂは、両替機においては、入金用カセット（通常１個）と出金用カセット（通常３〜４個）とを分けた構成として実現される。各カセットの上部側には繰出しと集積の機構が備わっている。
【００１９】
さらに、図３（２）は現金両替機の左側面から透視した現金両替機内部の模式図であり、硬貨を収容する硬貨収容領域３２が現金両替機の上半分の領域に配置され、包装硬貨を収容する包装硬貨収容領域３３が現金両替機の下半分の領域に配置されている。
【００２０】
図４に、硬貨収容領域３２の詳細を示す。図４は、硬貨収容領域３２と前記硬貨入出金機構ユニット１４とを現金両替機の左側面から表している。硬貨収容領域３２は硬貨入出金機構ユニット１４によって搬送等される硬貨を収容する。硬貨収容領域３２は、硬貨の収納のための硬貨ユニット（硬貨ホッパ）４１〜４４と、硬貨の回収等の運用も可能する硬貨ユニット（硬貨ユニット４１〜４４から区別するために、便宜上、硬貨運用ユニット、と記載する。）４５とを備え、これらは硬貨の繰出しと収納の両機構を実行し、硬貨収容領域に対応する。硬貨ユニット４１〜４４は、夫々決められた金種の硬貨を収容する。硬貨運用ユニット４５は着脱可能なカセット式として構成されている。
【００２１】
次に、硬貨収容領域３２に関連する前記硬貨入出金機構ユニット１４について説明する。硬貨入出金機構ユニット１４は次のとおり構成されている。
【００２２】
硬貨入出金口４６は利用者からの入金硬貨を受付ける硬貨の投入口であり、さらに、硬貨ユニット４１〜４４から硬貨が払い出される出金口でもある。
【００２３】
硬貨検銭ユニット４７は硬貨入出金口４６から投入された貨幣媒体が受付可能な金種であるかどうかを判断する。受付可と判断された媒体は硬貨搬送路５２を経由して一時保留ユニット４９で滞留させる。受付不可と判断したものは硬貨搬送路５３を経由して硬貨返却口４８へ返却される。
【００２４】
受付可能な金種は両替手数料の金額によって異なり、両替取引において両替手数料が５００円未満となる場合は１００円硬貨、５０円硬貨のみが受付可能となり、その他の金種（１円、５円、１０円、５００円）は受付不可扱いとなる。
【００２５】
両替取引の両替手数料が５００円以上の場合は、５００円硬貨、１００円硬貨、５０円硬貨が受付可能となり、１円、５円、１０円が受付不可扱いとなる。
【００２６】
硬貨搬送路（搬送機構）５４〜５６は硬貨を１枚ずつ搬送でき、一時保留ユニット４９の硬貨を硬貨ユニット４１〜４４へ搬送し、硬貨ユニット４１〜４４から繰出した硬貨を入出金口４６へ搬送する。さらに、硬貨搬送路５４〜５６は、硬貨ユニット４１〜４４と硬貨運用ユニット４５間で双方向に硬貨を出入りさせる。
【００２７】
硬貨搬送路５４上に硬貨識別ユニット５１があり、同ユニットは、入出金動作時、硬貨運用ユニット４５の装填、硬貨の補充、硬貨の回収、硬貨の精査時等において、搬送路５４で搬送される硬貨を識別する。
【００２８】
硬貨ユニット４１〜４４と硬貨運用ユニット４５は、夫々の下部に繰出し機構を備え、硬貨を硬貨搬送路５４へ送出する。さらに、各ユニットの上部に硬貨を取り込む機構があり、硬貨搬送路５６から各ユニットへ硬貨が収納される。硬貨運用ホッパ引出用トレー５０は硬貨収容領域３２から硬貨運用ユニット４５の引き出しを可能にする。
【００２９】
従来の現金両替機では、硬貨入金箱は両替機本体装置の前面側の扉下部付近に配置されているため、硬貨入金箱内の現金を回収するためには、金融機関の関係者は前面扉を開閉してアクセスするか、もしくは後面扉を開閉し下部に配置されているユニットを引き出した状態で硬貨入金箱にアクセスする等の操作が必要となり、出金現金や入金現金の回収操作に比べると操作方法が複雑で面倒であるという課題があったが、硬貨収容領域３２から硬貨運用ユニット４５の引き出しを可能にすることによって、出金現金や入金現金と同様に手数料現金の管理がやり易くなる。
【００３０】
図５に、硬貨収容領域３２の金種構成例を示す。図５は、硬貨収容領域３２と硬貨入出金機構ユニット１４とを現金両替機の左側面から表している。同一金種の硬貨であれば出金現金と手数料現金を区別せずユニット（ホッパ）に混在して収容してもよい。１００円硬貨は両替取引での出金枚数が他金種に比べ多いため、２つの硬貨ユニット４２,４３を割り当てている。この例では利用者が投入した両替手数料硬貨は、金種に応じて４１〜４４のいずれかのユニットに収容される。硬貨収容領域３２から硬貨運用ユニット４５の引き出しを可能にしているために、硬貨運用ユニット４５は、貨幣の補充、回収、計数用などの貨幣処理の運用のために供される。
【００３１】
硬貨搬送路５４〜５６は硬貨を１枚ずつ搬送させるために、硬貨ユニット４１〜４４の少なくとも一つと硬貨運用ユニット４５との間で貨幣の移動を可能にしている。この動作は、手数料計数（図６（ａ））と手数料収納（図６（ｂ））を備える。
【００３２】
図６（ａ）において、硬貨入出金口４６から投入された貨幣媒体が受付可能な金種であるかどうかを硬貨検銭ユニット４７が判断する。受付可と判断された貨幣媒体は硬貨搬送路５２を経由して一時保留ユニット４９に滞留される。受付不可と判断された貨幣媒体は硬貨搬送路５３を経由して硬貨返却口４８に返却される。制御モジュール１１は、受付けた硬貨の合計金額が両替手数料金額に達した時点で接客面の硬貨入出口シャッタ（図示なし）を閉じて硬貨入出金口４６への追加投入を受付けないようにする。
【００３３】
図６（ｂ）において、制御モジュール１１は、一時保留ユニット４９に滞留している硬貨を順次繰出し、硬貨搬送路５４を経由して硬貨識別ユニット５１で金種を識別する。５００円硬貨は硬貨ユニット４１へ、１００円硬貨は硬貨ユニット４２へ、５０円硬貨は硬貨ユニット４４へ振り分けられる。４２と４３の硬貨ユニットのうち硬貨ユニット４２が優先されて、１００円硬貨が収容される。硬貨ユニット４２が満杯に近い状態の場合、１００円硬貨が硬貨ユニット４３に収容される。
【００３４】
図７に、制御モジュール１１が管理する、両替取引の集計情報を示す。この集計情報は管理テーブルとして、制御モジュール１１のメモリに記憶される。管理テーブルは、両替の取引件数、取引金額、手数料金額、現金種類毎の出金枚数等を管理する。
【００３５】
図８に、制御モジュール１１が管理する、現金両替機内部に保有される現金貨幣量の情報を示す。当該情報は管理テーブルとして制御モジュール１１のメモリに記憶される。紙幣は入金として受付けられた分と出金用の準備金とが区別され、夫々金種別に管理される。硬貨は入金分と出金用の準備金を区別せず単に金種別に管理されるようにしてもよい。取扱可能な硬貨の種類は入金用、出金用ともに５００円、１００円、５０円の３種類とされる。なお、現在流通している現金両替機は５００円、１００円の２種類のみを取扱っているタイプが多い。包装硬貨は出金用の準備金として金種別に管理される。現金貨幣の情報は両替取引にて貨幣に出入りが発生した場合や、現金貨幣の補充・回収処理にて貨幣の出入りが発生した場合に更新される。
【００３６】
図９に、現金両替機の制御モジュール１１によって行われる両替取引の処理フローを示す。制御モジュール１１が利用者に両替金を現金両替機１の紙幣入出金機構ユニット１３に投入させると（Ｓ８０１）、紙幣入出金機構ユニット１３に両替金を計数させる（Ｓ８０２）。計数が完了次第、利用者操作ユニット１２ａの画面に両替設定用の案内画面を表示する。
【００３７】
制御モジュール１１は、利用者に画面上に表示された両替設定用のアイコンを選択させ、希望する出金金種と枚数または本数（包装硬貨の場合）を指定させる（Ｓ８０３）。利用者の両替設定入力が完了すると、制御モジュール１１は両替手数料の投入要否を判定して投入が必要と判断した場合は利用者に手数料の投入案内を行う。案内に従って利用者に手数料を硬貨入出金口４６から入金させると（Ｓ８０４）、硬貨入出金機構ユニット１４に入金された手数料を計数させる（Ｓ８０５）。硬貨収容領域３２内の計数処理の詳細については後述する。
【００３８】
硬貨手数料の計数を完了させると、制御モジュール１１は利用者操作ユニット１２ａの画面に両替設定内容の確認案内を表示して利用者に確認入力を行わせる（Ｓ８０６）。利用者の確認入力によって、制御モジュール１１は両替設定処理で指定された両替金種の出金処理を行うと同時に取引明細票の印字処理を行う（Ｓ８０７）。
【００３９】
制御モジュール１１は、Ｓ８０７の処理が終了すると、両替取引が成立したとして、利用者が入金した両替金および手数料現金を一時的な退避場所から収納ユニットに移動させ（Ｓ８０８）、両替取引集計情報管理テーブル（図７）の更新と保有現金量管理テーブル（図８）の更新を行う（Ｓ８０９）。そして、制御モジュール１１は利用者に取引明細票と現金を送出して（Ｓ８１０、Ｓ８１１）、フローを終了させる。
【００４０】
制御モジュール１１は、両替取引成立時のタイミングで両替取引集計情報管理テーブル（図７）の更新処理を図１０のフローチャートに従ってスタートさせる。制御モジュール１１は、両替取引集計情報管理テーブルにアクセスして、両替取引総件数６１のデータに１を加算する（Ｓ１００１）。
【００４１】
制御モジュール１１は、両替取引金額６３のデータに取引に係る両替金額を加算する（Ｓ１００２）。制御モジュール１１は両替取引の内容から、両替取引が有料取引だったか否かを判定し（Ｓ１００３）、これを肯定すると、有料取引件数６２のデータに１を加算する（Ｓ１００４）。
【００４２】
次いで、制御モジュール１１は、両替手数料金額６４のデータに取引に係る手数料金額を加算し（Ｓ１００５）、両替入金枚数（紙幣）６５のデータに本取引の紙幣入金枚数を加算する（Ｓ１００６）。
【００４３】
制御モジュール１１がＳ１００３のステップにおいて、両替取引が有料でないと判定すると、Ｓ１００４，Ｓ１００５のステップをスキップする。制御モジュール１１は、両替入金枚数（硬貨）６６のデータに本取引の硬貨入金枚数を加算し（Ｓ１００７）、両替出金枚数（紙幣）６７のデータに本取引の紙幣出金枚数を加算する（Ｓ１００８）。
【００４４】
次いで、制御モジュール１１は、両替出金枚数（硬貨）６８のデータに取引に係る硬貨出金枚数を加算し（Ｓ１００９）、両替出金本数（包装硬貨）６９のデータに取引に係る包装硬貨の出金本数を加算し（Ｓ１０１０）、更新後の両替取引集計管理テーブルをメモリに格納する。
【００４５】
制御モジュール１１は、両替取引成立時のタイミングで保有現金量管理テーブル（図８）の更新処理を図１１のフローチャートに従ってスタートさせる。
【００４６】
制御モジュール１１は、保有現金量管理テーブルにアクセスして、両替取引で入金された紙幣枚数を保有現金量（入金紙幣）７２に加算する（Ｓ１１０１）。そして、制御モジュール１１は、両替取引で入金された硬貨枚数を保有現金量（入出金硬貨）７４に加算し（Ｓ１１０２）、両替取引で出金された紙幣枚数を保有現金量（出金用紙幣）７３に加算する（Ｓ１１０３）。
【００４７】
さらに、制御モジュール１１は、両替取引で出金された硬貨枚数を保有現金量（入出金硬貨）７４に加算し（Ｓ１１０４）、両替取引で出金された包装硬貨本数を保有現金量（出金用包装硬貨）７５に加算する（Ｓ１１０５）。制御モジュール１１は、更新後の保有現金量管理テーブルをメモリに格納する。
【００４８】
図１２に、両替取引の運用処理のためのメニュー画面（関係者操作ユニット１２ｂ）の一例を示す。金融機関の関係者が、「合計」、「小計」、「自動精査」、「手数料回収」、「保有現金量」の各アイコンを操作することにより、選択された処理が制御モジュール１１によって起動される。
【００４９】
図１３に両替取引の集計処理の印字例（明細票）を示す。図１２の「合計」アイコン１２０１または「自動精査」アイコン１２０２が操作されることによって、明細票に印字が行われ、関係者はこの印字内容にて、両替手数料の合計金額を確認することができる。制御モジュール１１は、操作内容に応じて、明細票機構ユニット１７に印字を実行させる。
【００５０】
「合計」が操作させると、明細票への印字が完了した時点で、制御モジュール１１は、両替取引の集計情報管理テーブル（図７）をクリアする。「小計」キーが操作された場合、テーブルはクリアされない。１行目（１３０１）に実行処理名、実行日時が印字される（印字例は「合計」処理の場合である。）。２行目（１３０２）に前回「合計」処理から起算する累計取引件数（図７の６１に相当）が印字される。３行目から９行目（１３０３）には、前回「合計」処理からの入金枚数合計と入金金額合計を金種別に印字される（図７の６５、６６に相当）。１１行目〜１４行目（１３０４）には、前回「合計」処理からの取引金額合計と手数料金額合計、およびその合計が印字される（図７の６３、６４に相当）。１５行目〜２８行目（１３０５）には、前回「合計」処理からの出金枚数合計と出金金額合計が印字される（図７の６７〜６９に相当）。
【００５１】
図１４に両替機の保有現金量の印字例（明細票）を示す。関係者は印字内容によって、保有現金量を確認することができる。制御モジュール１１は、操作内容に応じて、明細票機構ユニット１７に印字を実行させる。図１２の「保有現金量」キー１２０４が操作されることによって、明細票に印字が行われる。１行目（１４０１）に実行処理名、実行日時が印字される。２行目（１４０２）に保有された現金量の全金額が印字される（図８の７１に相当） 。３行目〜７行目（１４０３）に、保有される紙幣のうち、利用者から受付けた入金紙幣の全金額が印字される（図８の７２に相当）。８行目〜１１行目（１４０４）には、保有される紙幣のうち、出金用紙幣の全金額が印字される（図８の７３に相当）。１２行目〜１８行目（１４０５）には、保有された包装硬貨の全金額が印字される（図８の７５に相当）。１９行目〜２２行目（１４０６）には、保有されたバラ硬貨の全金額が印字される（図８の７４に相当）。
【００５２】
図１５〜図１７に基づいて自動精査を説明する。自動精査とは、現金両替機に収容されていう現金貨幣の金額（有高）と金種とを自動で精査する機能である。図１５は自動精査のために制御モジュール１１が行うフローチャートである。制御モジュール１１は、自動精査処理を、関係者操作パネルの運用処理メニュー案内画面の「自動精査」アイコン（図１２の１２０２）の操作によって起動する（Ｓ１５０１）。制御モジュール１１は、紙幣収容領域３１、包装硬貨収容領域３３、バラ硬貨収容領域３２に自動精査処理を実行する（Ｓ１５０２）。制御モジュール１１が各収納ユニットに対する自動精査処理を終了させると、明細票機構ユニット１７に自動精査の処理結果を印字させ明細票を送出させ、関係者がこれを抜き取れる様にする（Ｓ１５０３）。関係者は抜取った明細票の印字内容によって、現金両替機が保有する現金の精査結果を確認できる（Ｓ１５０４）。
【００５３】
図１６に硬貨収容領域３２に対する自動精査の動作を示す。図１６は、硬貨収容領域３２と硬貨入出金機構ユニット１４とを現金両替機の左側面から表している。硬貨ユニット４２に収容している１００円硬貨の動きを例にとり説明する。
【００５４】
図１６（ａ）に示すように、硬貨入出金機構ユニット１４は、硬貨ユニット４２に収容している硬貨を順次搬送路５４〜５６に繰出して硬貨運用ユニット４５へ搬送する。硬貨ユニット４２内のすべての硬貨が硬貨運用ユニット４５へ移動させる際に、硬貨識別ユニット５１は、硬貨ユニット４２内に収容されていた総枚数を計数する。硬貨が搬送される途中で、硬貨識別ユニット５１によって金種が識別され、硬貨ユニット４２内から繰出される硬貨がすべて１００円硬貨であることがチェックされる。
【００５５】
制御モジュール１１は、硬貨ユニット４２内のすべての硬貨が硬貨運用ユニット４５へ移し終わったら、硬貨運用ユニット４５内の硬貨をすべて元の硬貨ユニット４２へ戻す動作を行う（図１６（ｂ））。
【００５６】
以上が、硬貨ユニット４２に収容している１００円硬貨の自動精査の動作となるが、他の硬貨ユニットについても同様の動作を行うことにより、硬貨ユニットに収容している全ての硬貨について金種と枚数の把握が可能となる。
【００５７】
なお、従来の現金両替機において、自動精査の対象貨幣は、出金現金と入金現金であって、手数料現金を自動精査するという発想はなかった。そもそも、金融機関関係者は、手数料現金の有高を、現金両替機内の硬貨入金箱を取り出して、容易に確認できるからという考え方である。
【００５８】
しかしながら、手数料の現金の有高の確認は、店舗毎の事務取扱規定に従う必要がある厄介なものであり、現金両替機内の硬貨入金箱を取り出して、手数料現金を計数することも、手間のかかるものであった。
【００５９】
そこで、既述のとおり、手数料現金を自動精査の対象に含め、さらに、もともと、手数料現金の回収操作は出金現金や入金現金に比べると操作方法が分かり難く、かつ、面倒な操作になるというものであったが、運用ユニット４５を硬貨収容領域３２から繰り出して着脱可能なカセットへ搬送すれば、手数料現金の回収も容易になる。
【００６０】
図１７は自動精査処理の結果印字例（明細票）である。関係者は本印字内容にて、現金両替機が保有する現金の計数結果を確認することができる。紙幣（入金分）、紙幣（出金用）、包装硬貨、バラ硬貨の計数結果について枚数（包装硬貨の場合は本数）と金額のそれぞれが印字され、最終行には全金額が印字される。
【００６１】
図１８に、制御モジュール１１によって行われる手数料現金を回収する処理フローを示す。制御モジュール１１は、関係者操作ユニット１２ｂによって、運用処理メニュー案内画面（図１２）の「手数料回収」アイコン１２０３が操作されることによって、処理を起動する。手数料現金の全額ではなく一部の金額を回収する場合は、回収する金額が入力されればよい（Ｓ９０１）。
【００６２】
手数料回収処理を起動すると、制御モジュール１１は両替取引集計情報管理テーブル（図７）を参照し、全額回収の場合は両替手数料金額（図７の６４）に相当する金額を、一部の金額を回収する場合は入力された金額分を、所定の硬貨ユニット（図４）から繰出して硬貨運用ユニット４５に搬送させる（Ｓ９０２）。
【００６３】
搬送処理が終了した時点で、制御モジュール１１は、管理テーブルの両替手数料金額（図７の６４）と保有現金量（入出金硬貨）（図８の７４）を回収した分だけ減算する（Ｓ９０３）。
【００６４】
制御モジュール１１は、手数料回収処理を終了すると、硬貨収納ユニット３２の引出用トレー５０をスライド可能な状態とし、明細票機構ユニット１７に手数料回収処理の結果の印字を実行させ、明細票を送出させる（Ｓ９０４）。制御モジュール１１は、関係者に、明細票機構ユニット１７から明細票を抜取れるようにするとともに、硬貨収容領域３２から硬貨運用ユニット４５をスライドさせて硬貨運用ユニットを抜取り、手数料現金が回収できるようにする（Ｓ９０５）。そして、明細票の印字内容から、回収した手数料現金の金額が確認できるようにする（Ｓ９０６）。
【００６５】
図１９に、手数料現金を硬貨運用ユニット４５に回収する際の硬貨入出金機構ユニット１４の動作を示す。図１９は、硬貨収容領域３２と硬貨入出金機構ユニット１４とを現金両替機の左側面から表している。
【００６６】
制御ユニット１１は、管理テーブル（図７）にアクセスして、両替手数料金額（図７の６４）を読み出し、その金額相当分を硬貨ユニットから繰出して硬貨運用ユニット４５へ搬送させる。５００円、１００円、５０円各硬貨の繰出し枚数は総繰出し枚数が最少となるように算出する。例えば、両替手数料金額が１２，３５０円の場合は５００円硬貨を２４枚、１００円硬貨を３枚、５０円硬貨を１枚繰出すことになる。
【００６７】
関係者はこの状態で硬貨運用ユニット４５を硬貨収容領域３２から取出して、ユニット内の手数料を回収することができる。図２０に、硬貨収容領域から硬貨運用ユニットをスライドさせた状態を示す。なお、硬貨収容領域３２全体を引き出しても硬貨運用ユニット４５を取り出せるようにできるが、硬貨収容領域３２全体を引き出すと硬貨運用ユニット４５以外の他の現金にもアクセスできるため、硬貨運用ユニット４５それ自体を、硬貨収容領域３２を現金両替機内に留めたまま、取り出せるようにすることがよい。
【００６８】
図２１に手数料現金回収処理の印字例（明細票）を示す。１行目に実行処理名、実行日時を印字する（２１０１）。２行目に両替手数料の全金額（図７の６４）が印字され、２行目〜５行目に硬貨運用ユニット４５に回収した硬貨の内訳が印字される（２１０２）。６行目には両替取引総件数のうち手数料を徴収した取引件数（図７の有料取引件数６２）が印字される（２１０３）。
【００６９】
図２２に、手数料現金を硬貨入出金口４６へ送出する際の硬貨ユニットの動作を示す。図２２は、硬貨収容領域３２と硬貨入出金機構ユニット１４とを現金両替機の左側面から表している。制御モジュール１１は、管理テーブル（図７）から両替手数料金額（図７の６４）を読み出し、その金額相当分を硬貨ユニット４１〜４４から繰出して硬貨入出金口４６へ搬送する。したがって、硬貨運用ユニット４５が硬貨収容領域３２から引き出せないようにしたとしても、金融機関関係者は、両替手数料金額を硬貨入出金口４６から回収することができる。
【００７０】
図２１に手数料現金回収処理の印字例（明細票）を示す。既述の実施形態では、硬貨収容領域３２を、現金両替機の上部左側に配置したが、上部右側、又は、下部に配置してもよい。硬貨収容領域３２に、硬貨ユニットを４基（４１〜４４）、硬貨運用ユニット１基が配置されたが、これらの数は次のとおり適宜変更可能である。
【００７１】
金種毎の硬貨ユニットの４１〜４４について、５００円硬貨用を１基の硬貨ユニット、１００円硬貨用を２基の硬貨ユニット、５０円硬貨用を１の硬貨ユニットから構成したが、他の金種構成、例えば５００円硬貨用を２基、１００円硬貨用を２基にする形態の他、５００円硬貨用、１００円硬貨用、５０円硬貨用、１０円硬貨用を各１基にした形態でもよい。
【００７２】
また、４基の硬貨ユニットをすべて入出金用としたが、１基を入金専用として残りを出金用とする形態でもよい。この場合、利用者から受付けた両替手数料はすべて入金専用の硬貨ユニットへ収容されることになり、管理テーブルに記憶される保有現金量の情報は入金硬貨と出金用硬貨が区別されて管理される。この金種構成の場合、以下に示す運用が行なわれる場合には、入金専用の硬貨ユニット内の全金額額と両替手数料の全金額とが一致しないので注意が必要である。
【００７３】
第１に、両替金投入ステップ（図９のＳ８０１）において、硬貨の受付けが可能となった運用、例えば、手数料入金ステップ（図９のＳ８０４）において、１００円の両替手数料に対して、５００円硬貨を受付けて４００円を返却する運用、そして、第２に、千円紙幣を受付けて９００円を返却する運用とする場合である。
【００７４】
既述の実施形態では、手数料現金の回収時に両替手数料金額に相当する金額をすべて硬貨で回収されるものとしたが、紙幣を含めてもよい。例えば、両替手数料の回収金額が７８，９００円の場合、内訳は万円紙幣が７枚、千円紙幣が８枚、５００円硬貨が１枚、１００円硬貨が４枚となる。
【００７５】
既述の硬貨投入方式として、硬貨１枚ずつの投入方式でも、一括投入方式のいずれでもよい。両替手数料として受付可能な金種は５００円硬貨、１００円硬貨、５０円硬貨の３種類としているが、これに５０円硬貨の代わりに１０円硬貨を加えてもよい。そして、一時保留ユニット４９を省略してもよい。その場合、硬貨運用ユニット４５を一時保留ユニットとして利用することができる。すなわち、検銭ユニット４７に受付けられた硬貨が硬貨運用ユニット４５まで搬送されて一旦滞留され、その後硬貨ユニット４１〜４４に搬送される。
【００７６】
既述の実施形態では、関係者操作パネルから「自動精査」や「手数料回収」の実行指示が行われるが、現金両替機外部からの実行指示を受けてもよく、また、曜日や時刻によって実行タイミングを事前に決めておかれてもよい。
【００７７】
さらに、自動精査の処理結果や手数料現金回収の処理結果を明細票に印字する形態としたが、明細票への印字処理を行わず関係者操作ユニット１２ｂへの表示、電子メールなどに関係者管理端末に通知されることでもよい。
【符号の説明】
【００７８】
１１  制御モジュール
１２  操作ユニット
１３  紙幣入出金機構ユニット
１４  硬貨入出金機構ユニット
１５  包装硬貨出金機構ユニット
１６  カード機構ユニット
１７  明細票機構ユニット
３２  硬貨収容領域
４１〜４４  硬貨ユニット
４５  硬貨運用ユニット
４６  硬貨入出金口
４７  検銭ユニット
４８  硬貨返却口
４９  一時保留ユニット
５０  硬貨運用ホッパ引出し用トレー
５１  硬貨識別ユニット
５２〜５６  硬貨搬送路
【図１】
0006563332.tif 000002
【図２】
0006563332.tif 000003
【図３】
0006563332.tif 000004
【図４】
0006563332.tif 000005
【図５】
0006563332.tif 000006
【図６】
0006563332.tif 000007
【図７】
0006563332.tif 000008
【図８】
0006563332.tif 000009
【図９】
0006563332.tif 000010
【図１０】
0006563332.tif 000011
【図１１】
0006563332.tif 000012
【図１２】
0006563332.tif 000013
【図１３】
0006563332.tif 000014
【図１４】
0006563332.tif 000015
【図１５】
0006563332.tif 000016
【図１６】
0006563332.tif 000017
【図１７】
0006563332.tif 000018
【図１８】
0006563332.tif 000019
【図１９】
0006563332.tif 000020
【図２０】
0006563332.tif 000021
【図２１】
0006563332.tif 000022
【図２２】
0006563332.tif 000023